(57)【要約】【課題】空気流量を正確に制御する小型のリニアオシレート加圧式電子血圧計を提供する。【解決手段】主に内部に中央マイクロプロセッサーを設置する本体、本体内において前記中央マイクロプロセッサーの制御を受けるリニアオシレート式加圧装置、磁動式リニアオシレート加圧作動を提供する出力気流、リニアオシレート式加圧装置に連結するチューブ、血圧測定過程のチューブ圧力変化を制御し、センサーのデータ收集を助ける圧力制御装置、チューブに連結するセンサー、血圧値の測定結果を表示する該本体に設置しデータを表示するディスプレーを含む。中央マイクロプロセッサーが生じるデジタル信号を利用し、リニアオシレート式加圧装置に往復の加圧動作を行わせ、連結するチューブに加圧し血圧測定を行う。【選択図】  図  ３
2006239430.tif 000002
【特許請求の範囲】
【請求項１】
主にリニアオシレート加圧式電子血圧計は中央マイクロプロセッサー、該中央マイクロプロセッサーと連結するリニアオシレート式加圧装置、該リニアオシレート式加圧装置と連結するチューブ、該リニアオシレート式加圧装置と該チューブ間に連結する圧力制御装置、該チューブと該中央マイクロプロセッサー間に連結するセンサー、該本体に装置するディスプレーを含み、血圧の測定結果を表示することを特徴とするリニアオシレート加圧式電子血圧計。
【請求項２】
前記センサーは圧力センサー、コロトコフセンサーの内の一つであることを特徴とする請求項１記載のリニアオシレート加圧式電子血圧計。
【請求項３】
前記センサーは圧力センサーとコロトコフセンサーを同時に配置することを特徴とする請求項１記載のリニアオシレート加圧式電子血圧計。
【請求項４】
前記加圧装置の作動方式はリニアオシレート式加圧方式であることを特徴とする請求項１記載のリニアオシレート加圧式電子血圧計。
【請求項５】
前記リニアオシレート式加圧装置は制御回路を未設置で、前記中央マイクロプロセッサが生じるデジタルのオシレート電流パルスの出力により、該リニアオシレート式加圧装置の加圧作動を制御することを特徴とする請求項１記載のリニアオシレート加圧式電子血圧計。
【請求項６】
前記中央マイクロプロセッサーは、リニアオシレート加圧装置が生じるデジタルのオシレート電流パルス出力により駆動され、該出力は連続式プラス、マイナスパルス組成のオシレート電流パルス信号波形であることを特徴とする請求項５記載のリニアオシレート加圧式電子血圧計。
【請求項７】
前記中央マイクロプロセッサーはリニアオシレート加圧装置が生じるデジタルのオシレート電流パルス出力により駆動され、該出力は連続式プラスパルスのオシレート電流パルス信号波形であることを特徴とする請求項５記載のリニアオシレート加圧式電子血圧計。
【請求項８】
前記中央マイクロプロセッサーはリニアオシレート加圧装置が生じるデジタルのオシレート電流パルス出力により駆動され、該出力は連続式マイナスパルスのオシレート電流パルス信号波形であることを特徴とする請求項５記載のリニアオシレート加圧式電子血圧計。
【請求項９】
前記リニアオシレート式加圧装置は制御回路を設置し、該血圧計制御回路と該リニアオシレート式加圧装置付属の制御回路は、共同で該加圧装置の加圧作動の制御を行うことを特徴とする請求項５記載のリニアオシレート加圧式電子血圧計。
【請求項１０】
前記リニアオシレート式加圧装置は制御回路を未設置で、該血圧計制御回路と、該血圧計制御回路主体から独立した回路を加え共同で駆動し、該加圧装置の加圧作動の制御を行うことを特徴とする請求項１記載のリニアオシレート加圧式電子血圧計。
【請求項１１】
前記中央プロセッサーはディスプレーを連結することを特徴とする請求項１記載のリニアオシレート加圧式電子血圧計。
【請求項１２】
主にリニアオシレート加圧式電子血圧計の加圧制御装置は中央マイクロプロセッサー、該中央マイクロプロセッサーと連結するリニアオシレート式加圧装置、該リニアオシレート式加圧装置と連結するチューブ、該リニアオシレート式加圧装置と該チューブ間に連結する圧力制御装置を含むことを特徴とするリニアオシレート加圧式電子血圧計。
【発明の詳細な説明】
【技術分野】
【０００１】
本発明は一種のリニアオシレート加圧式電子血圧計に関し、特に一種の磁動往復作動機能を具えたリニアオシレート式加圧装置を利用して、連結するチューブに往復の加圧動作を加えて血圧測定過程に必要な圧力を提供するリニアオシレート加圧式電子血圧計に係る。
【背景技術】
【０００２】
従来公知の電子血圧計及びその加圧装置は、図１、２に示すように、中央マイクロプロセッサー9、ローター式加圧装置91、圧力制御装置92、チューブ93、（圧力）センサー94、ディスプレー95により組成し、電子血圧計本体内に装置する。該加圧装置の加圧作動は該中央マイクロプロセッサー9により該ローター式加圧装置91を駆動し、該チューブ93へと加圧気流を送る。該ローター式加圧装置91はマイクロローター式モーターが駆動するポンプにより組成する。該モーターはON/OFF信号により作動を駆動する。
その操作信号波形は図２に示すが、その加圧作動制御はモーターとポンプの加圧時間を制御可能なだけで、気体流量を制御することはできない。また、ポンプの具体的な駆動作動方式はモーターの持続回転を利用し、連接棒によりピストン/薄膜の移動方向を改変し、持続的なピストン/薄膜の往復移動作動を生じ、同時にピストン/薄膜の移動と方向変換を対応させ、ポンプ内外の圧力差を形成し、これによりバルブ体部品は開閉を交互に行い、加圧の循環を形成する。
しかし、前記従来公知の血圧計加圧装置の連接棒を通して転動する構造方式では、該モーターが出力するエネルギーは方向転換と連接棒の転動作動により消耗し、しかも、該連接棒の配置はポンプの配置において比較的大きな体積を必要とする。
そのため、比較的体積の小さい、或いは微小な製品への使用には適さず、血圧計、特に腕血圧計或いは指血圧計への装置には適さない。さらには、血圧測定過程中においては気体の加圧速度を正確に制御する必要があるが、該公知の回転式モーターのローターは慣性作用により駆動するポンプが出力する空気流量を効果的に制御するのは難しく、特に瞬間的に加圧速度が低下、或いは高速から低速に低下した時の制御は困難である。
また、公知のローター式モーターは作動時にブラシにより電流をローターに導入する必要があるため、この回転入力方式はブラシとローターの磨擦時に大きな騒音と電磁波を発生する。よって医療器材関連の設備への応用には適さない。
【特許文献１】特開平１１−４７１０２号公報
【発明の開示】
【発明が解決しようとする課題】
【０００３】
従来公知の血圧計加圧装置の構造には以下の欠点があった。
すなわち、公知の血圧計加圧装置の連接棒を通して転動する構造方式では、該モーターが出力するエネルギーは方向転換と連接棒の転動作動により消耗し、しかも該連接棒の配置はポンプの配置において比較的大きな体積を必要とするため比較的体積の小さい、或いは微小な製品への使用には適さず、血圧計、特に腕血圧計或いは指血圧計への装置には適さない。さらには、血圧測定過程中においては気体の加圧速度を正確に制御する必要があるが、該公知の回転式モーターのローターは慣性作用により駆動するポンプが出力する空気流量を効果的に制御するのは難しい。また、公知のローター式モーターは作動時にブラシにより電流をローターに導入する必要があるため、ブラシとローターの磨擦時に大きな騒音と電磁波を発生し、医療器材関連の設備への応用には適さない。
本発明は、上記の問題点に鑑みてなされたもので、空気流量を正確に制御し、電磁波が発生しない小型のリニアオシレート加圧式電子血圧計を提供するものである。
【課題を解決するための手段】
【０００４】
上記課題を解決するため、本発明は下記のリニアオシレート加圧式電子血圧計を提供する。
それは、主に本発明は電子血圧計及びその加圧制御装置を再設計し、電子血圧計の加圧作動をリニアオシレート加圧装置により完成し、即ち、リニアオシレート加圧装置は、その制御方式が直接中央マイクロプロセッサーが生じるデジタルの連続信号からなる（デジタル直列）、オシレート電流パルス周期を利用して駆動装置を駆動し、また、血圧計の制御回路と外付け回路を結合し、この回路はリニアオシレート式加圧装置本体に付属し、或いは、該血圧計制御回路主体から独立した回路を加え共同で駆動し、磁動往復作動機能を具えたリニアオシレート式加圧装置に往復加圧動作を生じさせ連結するチューブに出力し、加圧の過程と速度は容易に制御可能となり、より快適で、しかもモーターとブラシが不要であるため、作動時に生じる騒音と電磁を低下させ、コスト低下も可能で、電子血圧計の体積を腕或いは指血圧計に適した体積とする。
また、本発明のリニアオシレート加圧式電子血圧計の構造は電子血圧計本体、該本体内に設置する中央マイクロプロセッサー、血圧計の作動を制御しデジタルの連続信号からなる（デジタル直列）オシレート電流パルス周期出力を提供し、該本体内に設置するリニアオシレート式加圧装置を含み、該リニアオシレート式加圧装置の駆動方式は直接該中央マイクロプロセッサーが出力する電流パルスにより作動を制御し、この型のリニアオシレート式加圧装置本体は制御回路を未設置で、或いは血圧計の制御回路と外付け回路を結合し、この回路はリニアオシレート式加圧装置本体に付属し、或いは該血圧計制御回路主体から独立した回路を加え共同で駆動し、加圧気流を生じチューブに出力し、該チューブは該リニアオシレート式加圧装置に連結し加圧出力作動し、圧力制御装置は該中央マイクロプロセッサーにより駆動され、血圧測定過程のチューブ圧力変化を制御し、圧力/コロトコフセンサーデータの收集を助け、該チューブに連結するセンサーは圧脈波を検知する圧力センサー或いはコロトコフ音（血管音）を感知するコロトコフセンサー(Korotkff's Sound Sensor)、或いは両者が同時に存在するものとし、該本体に装置するディスプレーは血圧値の測定結果を表示することを特徴とするリニアオシレート加圧式電子血圧計である。
【０００５】
すまわち、請求項１の発明は、主にリニアオシレート加圧式電子血圧計は中央マイクロプロセッサー、該中央マイクロプロセッサーと連結するリニアオシレート式加圧装置、該リニアオシレート式加圧装置と連結するチューブ、該リニアオシレート式加圧装置と該チューブ間に連結する圧力制御装置、該チューブと該中央マイクロプロセッサー間に連結するセンサー、該本体に装置するディスプレーを含み、血圧の測定結果を表示することを特徴とするリニアオシレート加圧式電子血圧計である。
【０００６】
請求項２の発明は、前記センサーが、圧力センサー、コロトコフセンサーの内の一つであることを特徴とする請求項１記載のリニアオシレート加圧式電子血圧計である。
請求項３の発明は、前記センサーは圧力センサーとコロトコフセンサーを同時に配置することを特徴とする請求項１記載のリニアオシレート加圧式電子血圧計である。
請求項４の発明は、前記加圧装置の作動方式はリニアオシレート式加圧方式であることを特徴とする請求項１記載のリニアオシレート加圧式電子血圧計である。
【０００７】
請求項５の発明は、前記リニアオシレート式加圧装置が、制御回路を未設置で、前記中央マイクロプロセッサが生じるデジタルのオシレート電流パルスの出力により、該リニアオシレート式加圧装置の加圧作動を制御することを特徴とする請求項１記載のリニアオシレート加圧式電子血圧計である。
請求項６の発明は、前記中央マイクロプロセッサーが、リニアオシレート加圧装置が生じるデジタルのオシレート電流パルス出力により駆動され、該出力は連続式プラス、マイナスパルス組成のオシレート電流パルス信号波形であることを特徴とする請求項５記載のリニアオシレート加圧式電子血圧計。
請求項７の発明は、前記中央マイクロプロセッサーは、リニアオシレート加圧装置が生じるデジタルのオシレート電流パルス出力により駆動され、該出力は連続式プラスパルスのオシレート電流パルス信号波形であることを特徴とする請求項５記載のリニアオシレート加圧式電子血圧計である。
請求項８の発明は、前記中央マイクロプロセッサーは、リニアオシレート加圧装置が生じるデジタルのオシレート電流パルス出力により駆動され、該出力は連続式マイナスパルスのオシレート電流パルス信号波形であることを特徴とする請求項５記載のリニアオシレート加圧式電子血圧計である。
請求項９の発明は、前記リニアオシレート式加圧装置は、制御回路を設置し、該血圧計制御回路と該リニアオシレート式加圧装置付属の制御回路は、共同で該加圧装置の加圧作動の制御を行うことを特徴とする請求項５記載のリニアオシレート加圧式電子血圧計である。
【０００８】
請求項１０の発明は、前記リニアオシレート式加圧装置は制御回路を未設置で、該血圧計制御回路と、該血圧計制御回路主体から独立した回路を加え共同で駆動し、該加圧装置の加圧作動の制御を行うことを特徴とする請求項１記載のリニアオシレート加圧式電子血圧計である。
請求項１１の発明は、前記中央プロセッサーはディスプレーを連結することを特徴とする請求項１記載のリニアオシレート加圧式電子血圧計である。
請求項１２の発明は、主にリニアオシレート加圧式電子血圧計の加圧制御装置は中央マイクロプロセッサー、該中央マイクロプロセッサーと連結するリニアオシレート式加圧装置、該リニアオシレート式加圧装置と連結するチューブ、該リニアオシレート式加圧装置と該チューブ間に連結する圧力制御装置を含むことを特徴とするリニアオシレート加圧式電子血圧計である。
【発明の効果】
【０００９】
上記のように、本発明によれば、中央マイクロプロセッサーが生じるデジタルのオシレート電流パルス周期を直接利用したリニアモータ等の加圧駆動装置を用いるリニアオシレート加圧装置のポンプを用いたので、従来公知のマイクロローターモーターとポンプを配置する構造に比べ、大幅に加圧装置の体積を減少させ、電子血圧計体積を縮小し、製造コストを低下させることができる。さらに腕或いは指血圧計の使用に適合し、モーターとブラシが不要であるため、作動時のローターとブラシの摩擦が生じる騒音と電磁波を低減し、医療用器材としての幅広い応用ができる。
【発明を実施するための最良の形態】
【００１０】
本発明の好適なリニアオシレート加圧式電子血圧計（Linear Oscillation Pressurization Type Electronic Sphygmomanometer)の実施例を、図面を参照して説明する。
リニアオシレート加圧式電子血圧計は、リニアモータ等の一種の磁動往復作動機能を具えたニアオシレート式加圧装置を利用し、このリニアオシレート加圧装置の作動は直接中央マイクロプロセッサーが生じるデジタル連続信号（デジタル直列）からなるオシレート電流パルス周期により駆動し、或いは血圧計の制御回路と外付け回路を結合し、この回路はリニアオシレート式加圧装置本体に付属し、或いは該血圧計制御回路主体から独立した回路を加え共同で駆動し、往復作動の加圧動作を連結するチューブに加え、血圧測定過程に必要な圧力を提供するものである。
図３、４、５に示すように、本発明の最適実施例の直リニアオシレート加圧式電子血圧計の該電子血圧計とその加圧制御装置は、中央マイクロプロセッサー1、該中央マイクロプロセッサー1に連結するリニアオシレート式加圧装置2、該リニアオシレート式加圧装置2に連結するチューブ3、該リニアオシレート式加圧装置2と該チューブ3間に連結する圧力制御装置4、該チューブ3に連結する圧力及び／又はコロトコフセンサー5、ディスプレー6により組成し、図３に示すように、電子血圧計本体内に装置する。
該電子血圧計本体内に装置する中央マイクロプロセッサー1は主に血圧計の測定過程全体を制御するために用いられ、それが生じるデジタルの連続信号（デジタル直列）からなるオシレート信号によりリニアオシレート式加圧装置2を駆動し、該圧力制御装置4を駆動し、血圧測定過程のチューブ3の圧力変化を制御する。
これにより圧力/コロトコフセンサー5のデータ收集及び血圧測定結果データの表示を助ける。本発明の具体的実施例中では、該中央マイクロプロセッサー1はCPU、MPUの内の一つで、操作を受け、連続式プラス、マイナスパルス組成のオシレート電流パルス信号(図4参照)、或いは連続式プラス(マイナス)パルスのオシレート電流パルス信号(図５参照、この図はプラスパルス)の内の一つのデジタルのオシレート電流パルス周期を出力する。こうして、直接リニアモータ等のリニアオシレート式加圧装置2の加圧作動を制御する。
【００１１】
ここで、本発明でいうリニアオシレート式加圧装置とは、リニアモータのように、図４や図５に示すリニアオシレート信号により、電磁部品間で永久磁石性部品を駆動し相互磁動往復作動を行わせてチューブ等に加圧作動する装置を意味し、リニアオシレート加圧式電子血圧計とはこの駆動装置を用いた電子血圧計を意味する。
本発明の実施例のリニアオシレート式加圧装置2は、永久磁石部品と電磁部品により組成し、磁動往復作動機能を具えたものであり、該リニアオシレート式加圧装置は主に該中央マイクロプロセッサー1出力のデジタルの連続信号からなる（デジタル直列）オシレート電流パルス周期の制御を受け、その永久磁石性部品を駆動し電磁部品間で相互往復作動を行わせ、加圧気流を該チューブ3に出力する。その操作信号波形は、図４に示すように、連続式プラス、マイナスパルス組成のオシレート電流パルス信号である。
【００１２】
前記リニアオシレート式加圧装置2は、その他具体的実施例中において、永久磁石部品、電磁部品、弾性部品により組成するリニアオシレート式加圧装置である。同様に該中央マイクロプロセッサー1出力のデジタルの連続信号（デジタル直列）、すなわち、オシレート電流パルス周期の制御を受け、その永久磁石性部品を駆動し、電磁部品と弾性部品に交互に作用し、相互往復作動を行わせ、加圧気流を該チューブ3に出力する。図５に示すように、その操作信号波形は連続式プラスパルスのオシレート電流パルス信号(この設計もまた連続式マイナスパルスのオシレート電流パルス信号を使用し駆動可能)である。
【００１３】
前記リニアオシレート式加圧装置2の駆動方式は、直接該中央マイクロプロセッサー1が出力する電流パルスの制御を受け、この型のリニアオシレート式加圧装置の主体には制御回路は未設置で、或いは血圧計の制御回路と外付け回路を結合することにより、この回路は該リニアオシレート式加圧装置2本体に付属し、或いは血圧計制御回路主体から独立する回路を加え共同で駆動する。
【００１４】
前記チューブ3は血圧測定者の脈拍を測るために腕に巻き付け、或いは挟持測定に用いる加圧チューブで、（圧力／コロトコフ）センサー5を連結する。該チューブ3の入力端は気管30を通して該リニアオシレート式加圧装置2の出力端に連結し、気流入力により加圧し、該センサー5に対応し血圧測定を行う。
前記圧力制御装置4は該リニアオシレート式加圧装置2と該チューブ3連結の気管30間に設置し、図３に示すように、該中央マイクロプロセッサー1に電気的に接続し、血圧測定過程における該チューブ3の圧力変化を制御する。該圧力/コロトコフセンサー5(該センサーは圧力或いはコロトコフセンサー、或いは二者が同時に存在するものとする)は該チューブ3と該中央マイクロプロセッサー1に連結し、該チューブ3の漏気動作中における圧力変化に相対する血圧感知データを感知する。該圧力/コロトコフセンサー5は本発明具体的実施例構造中では、上腕にカフ(腕帯)を巻いてチューブ3に空気を送り込んでから、カフを減圧して血管壁の圧力を感知する圧力センサーや、カフを減圧して血液が心臓の拍動に合わせて断続的に流れはじめたときに発生するコロトコフ音＝Ｋ音をマイクロホンで検知する所謂コロトコフセンサーの内の一つ、或いは両者を同時に配置し使用する。
前記ディスプレー6は該本体1の端面上に設置し、該中央マイクロプロセッサー1に連結し、該チューブ3が測定し該中央マイクロプロセッサー1に送信して来る血圧測定値を受取り、該中央マイクロプロセッサー1により該ディスプレー6を制御し、結果データを表示する。
【００１５】
上記組成の電子血圧計において、直接該中央マイクロプロセッサー1が生じるデジタルの連続信号（デジタル直列）からなるオシレート電流パルス周期を利用し、磁動往復作動機能を具えたリニアオシレート式加圧装置2を駆動し、連結するチューブ3において往復移動の加圧動作を生じ、血圧測定を行う。公知の電子血圧計及びその加圧装置に比べ、本発明のリニアオシレート式加圧装置2はローターモーターとブラシが不要であるため、両者の作動が生じる騒音と電磁波が低く医療関連の応用に適する他、コスト低下も可能で、さらに体積を縮小させることができるため、製造された電子血圧計の体積は腕或いは指血圧計としての使用に適している。
【図面の簡単な説明】
【００１６】
【図１】公知の電子血圧計の具体的実施例の構造図である。
【図２】公知の電子血圧計のローター式加圧装置の作動信号波形図(t1は公知のローターモーター/ポンプの加圧時間、t2とt3はリニアオシレート加圧装置の加圧周期、t1>>t2,t3)である。
【図３】本発明の具体的実施例の構造図である。
【図４】本発明の具体的実施例のリニアオシレート式加圧装置操作信号波形図で、t2はリニアオシレート加圧装置の加圧周期である。
【図５】本発明の別種の具体的実施例のリニアオシレート式加圧装置操作信号波形図で、t3はリニアオシレート加圧装置の加圧周期である。
【符号の説明】
【００１７】
１  中央マイクロプロセッサー
2  リニアオシレート式加圧装置
3  チューブ
4  圧力制御装置
5  圧力/コロトコフセンサー
6  ディスプレー
30  気管
9  中央マイクロプロセッサー
91  ローター式加圧装置
92 圧力制御装置
93  チューブ
94  センサー
95  ディスプレー
【図１】
2006239430.tif 000003
【図２】
2006239430.tif 000004
【図３】
2006239430.tif 000005
【図４】
2006239430.tif 000006
【図５】
2006239430.tif 000007